(57)【要約】【課題】用水の水質や温度の変動に追従して、常時適切なスライム除去効果をうるために必要なオゾンを貯留することにより、経済的でオキシダントなどの副生成物の生成の少ないオゾン製造装置にかかわるオゾン発生器の投入電力制御方法を提供する。【解決手段】オゾン化酸素を生成するオゾン発生器と、該オゾン発生器で生成したオゾン化酸素からオゾンを吸着貯留する吸脱着塔と、吸着貯留したオゾンを脱着して供給する水流エジェクタからなるオゾン製造装置であって、脱着オゾン濃度を計測するオゾン濃度計測手段であるオゾン濃度計１０と、該計測手段により検出された計測値を設定器１１からの設定値と比較して前記オゾン発生器１の投入電力を調整する制御回路１２を備えている。【選択図】図４
2006206437.tif 000002
【特許請求の範囲】
【請求項１】
（ａ）オゾンの脱着時にオゾンの濃度を計測する工程と、
（ｂ）前記工程(ａ)において得られた脱着時のオゾンの濃度の計測値から、オゾン発生器の圧力の制御目標値を演算する工程と、
（ｃ）前記工程（ｂ）において演算された制御目標値を用いて酸素供給の圧力調節弁を操作して、オゾン発生器の圧力を調節する工程
とを含んでなる
ことを特徴とするオゾン発生器の投入電力制御方法。
【請求項２】
前記工程（ｂ）におけるオゾン濃度の計測値が、オゾン濃度のピーク値である請求項１記載のオゾン発生器の投入電力制御方法。
【請求項３】
前記工程（ｂ）におけるオゾン濃度の計測値が、オゾンが所定濃度以上となる時間である請求項１記載のオゾン発生器の投入電力制御方法。
【請求項４】
前記工程（ｂ）におけるオゾン濃度の計測値が、オゾン濃度の計測値の変動パターンである請求項１記載のオゾン発生器の投入電力制御方法。
【発明の詳細な説明】
【技術分野】
【０００１】
本発明はオゾン製造装置に関する。さらに詳しくは、オゾンを連続的に製造して吸着貯留し、必要なときにこれを脱着（分離）させて供給するオゾン製造装置に関する。
【背景技術】
【０００２】
発電所や化学工業などには多量の冷却水が使用されているが、用水中の微生物や藻類によってスライム障害が発生して管路の閉塞や熱交換率の低下が起こる。この種の防止対策として高濃度のオゾン水の適用が考えられる。高濃度のオゾン水を生成するためには、大容量のオゾン発生器を用いて生成するよりも、小型で小容量のオゾン発生器を用いて、生成したオゾンを吸着剤に長期間にわたって蓄積し、この蓄積したオゾンを必要に応じて吸着剤から取り出し、高濃度のオゾン水を生成する、いわゆる間歇オゾン製造方式が設備費および運転費の点から有利である。
【０００３】
かかるオゾン製造方式を用いたオゾン製造装置として、たとえば図１３に示すように、オゾン発生器５０と、酸素供給源５１と、循環ブロア５２と、吸脱着塔５３と、冷熱源５４と、加熱源５５と、水流エジェクタ５６と、切替弁５７ａ〜５７ｇとからなるものがある。吸脱着塔５３は二重筒になっており、その内筒はオゾン吸着剤が充填されており、外筒は熱媒体が充填されている。なお、オゾン吸着剤には、たとえばシリカゲルが用いられ、熱媒体にはエチレングリコールやアルコール類が使用される。また、前記循環ブロア５２、オゾン発生器５０および吸脱着塔５３は、この順に１つの循環系を構成している。
【０００４】
つぎに動作について説明する。この動作にはオゾンの吸着貯留工程と脱着工程の２工程がある。
【０００５】
初めにオゾンの吸着貯留工程について説明する。酸素供給源５１より循環系内に常時一定圧力になるように酸素を供給する。このときの圧力は通常１．５ｋｇ／ｃｍ2に維持されている。切替弁５７ｃおよび５７ｄを開き、循環ブロア５２より循環系内に酸素を流通し、循環させると、オゾン発生器５０の放電空間を通過するあいだに、酸素の一部がオゾンに変換されてオゾン化酸素となる。このオゾン化酸素は吸脱着塔５３へ送られる。吸脱着塔５３内のオゾン吸着剤はオゾンを選択的に吸着し、残りの酸素は切換弁５７ｃを介して循環ブロア５２に戻される。オゾンに変換され、吸着された酸素量は酸素供給源５１より補充される。このとき、オゾン吸着剤の温度は、オゾン吸着量が温度により大きく変化するため、冷熱源５４により−３０℃以下に冷却されている。すなわち、温度が低下するとオゾン吸着量は増加し、逆に上昇するとオゾンの吸着量は減少する。したがって、オゾンを脱着するときは加熱源５５により吸着剤の温度を上昇させる。
【０００６】
吸脱着塔５３の吸着剤がオゾンを飽和吸着量近くまで吸着すると脱着工程に移行する。脱着動作では、オゾン発生器５０、循環ブロア５２および冷熱源５４が稼働を停止し、切替弁５７ａ〜５７ｄが閉じる。そののち、加熱源５５および水流エジェクタ５６が稼働を始めて切替弁５７ｅ〜５７ｇが開く。このとき、吸着剤に吸着貯留されていたオゾンが脱着し易いように加熱源５５より熱が加えられ吸着剤の温度を上昇させる。そして水流エジェクタ５６で吸脱着塔５３内のオゾンを減圧吸引し、水流エジェクタ５６内で水中に分散し、溶解してオゾン水として使用箇所に送られる。このように脱着工程が終了すると再び初期の吸着工程に移行して連続的に運転が繰り返される。
【発明の開示】
【発明が解決しようとする課題】
【０００７】
スライム障害の原因となる用水中の微生物や藻類は水温や用水の汚濁度合いによって繁殖スピードが異なり、またオゾンの反応速度も変動するため、水温の季節的な変動や用水の汚濁度合の変動によって必要となるオゾン量も変化するが、前記の従来の装置では、オゾンの貯蔵量を調節することができず、スライム除去においてオゾンの過不足を生じやすい。すなわち、オゾン量が少ないばあいには、正常なスライム付着防止効果がえられず、逆にオゾン量が多いばあいには、経済的でないばかりか、海水系に適用するときには海水中の臭素イオンと反応してオキシダントを生成しやすいため、かかるオキシダントの分解除去装置が必要になったり、大型化するという問題点がある。
【０００８】
また、前記従来の装置を長期間にわたって連続使用するばあい、シリガゲルのオゾン吸着能の変化やオゾン発生器の性能変化などによってもオゾンの貯蔵量が変化し、オゾンの過不足を生じるという問題点がある。
【０００９】
本発明は、叙上の事情に鑑み、用水の水質や温度の変動に追従して、常時適切なスライム除去効果をうるために必要なオゾンを貯留することにより、経済的でオキシダントなどの副生成物の生成の少ないオゾン製造装置にかかわるオゾン発生器の投入電力制御方法を提供することを目的としている。
【課題を解決するための手段】
【００１０】
本発明の第１の発明にかかわるオゾン発生器の投入電力制御方法は、（ａ）オゾンの脱着時にオゾンの濃度を計測する工程と、
（ｂ）前記工程(ａ)において得られた脱着時のオゾンの濃度の計測値から、オゾン発生器の圧力の制御目標値を演算する工程と、
（ｃ）前記工程（ｂ）において演算された制御目標値を用いて酸素供給の圧力調節弁を操作して、オゾン発生器の圧力を調節する工程
とを含んでなる
ことを特徴としている。
【発明の効果】
【００１１】
請求項１〜４にかかわるオゾン発生器の投入電力制御方法によれば、吸着剤やオゾン発生器の特性が万が一変化したばあい、または用水の温度や汚染度合い、微生物の増殖速度、オゾンの反応速度が変わったばあいでも、これらの変化に追従して所定のオゾンを脱着して安定した処理を行なえるので、スライムの付着を長期間にわたり安定して防止することができる。
【発明を実施するための最良の形態】
【００１２】
参考例１．
図１は参考例１にかかわるオゾン製造装置を示す構成図である。図１に示すように、オゾン化酸素を生成するオゾン発生器１と、酸素供給源２と、循環ブロア３と、吸脱着塔４と、冷熱源５と、加熱源６と、オゾン脱着手段である水流エジェクタ７と、切替弁８ａ〜８ｇと、脱着オゾン濃度を計測するオゾン濃度検知手段からなる。また該オゾン濃度検知手段は、配管９に取り付けられたオゾン濃度計測手段であるオゾン濃度計１０と、該計測手段により検出された計測値を設定器１１からの設定値と比較する制御回路１２からなる。オゾン濃度計１０と制御回路１２、制御回路１２とオゾン発生器１、および制御回路１２と設定器１１はそれぞれ信号線Ｓ１、Ｓ２およびＳ３を介し接続されている。吸脱着塔４は二重筒になっており、その内筒はオゾン吸着剤が充填されており、外筒は熱媒体が充填されている。このオゾン吸着剤には、たとえばオゾンと接触したときの分解率が低いものを選ぶことが望ましく、シリカゲル、活性アルミナやフルオロカーボンを含浸させた多孔質材料などが用いられ、熱媒体にはエチレングリコールやアルコール類が用いられる。また、前記循環ブロア３、オゾン発生器１および吸脱着塔４は、この順に１つの循環系を構成している。
【００１３】
つぎに動作について説明する。この動作にはオゾンを吸着する動作およびオゾンを脱着する動作の２つの動作がある。
【００１４】
最初に吸着動作について説明する。酸素供給源２より循環系内が常時一定圧力、たとえば１．５ｋｇ／ｃｍ2になるように酸素を供給する。切換弁８ａ〜８ｄが開いた状態で、循環ブロア３により循環系内に酸素を流通させると、オゾン発生器１の放電空隙中を通過するあいだに、無声放電により酸素の一部がオゾンに変換されてオゾン化酸素になったのち、このオゾン化酸素は吸脱着塔４へ搬送される。吸脱着塔４内の吸着剤は、オゾンを選択的に吸着し、残りの酸素は切換弁８ｃを介して循環ブロア３に返送される。オゾンとして消費された酸素は酸素供給源２より補充される。このとき、オゾン吸着剤は冷却するほどオゾンの吸着容量が増えるという性質を有することから、通常冷却温度は冷熱源５により−４０℃以下にされている。また、循環系内の圧力を高くするほど、オゾンを効率的に蓄えることができる。しかし、オゾン発生効率やオゾン貯蔵効率を考えると、過度に循環系内の圧力を高くすることは、貯蔵時の消費電力を増大させることになり、最大でも５ｋｇ／ｃｍ2程度に維持することが望ましい。
【００１５】
吸脱着塔４内の吸着剤がオゾン飽和吸着量近くまで吸着するとつぎに脱着動作へ移行する。脱着動作において、吸脱着塔４内に蓄えられたオゾンは、水流エジェクタ７および加熱源６を動作させ、加温と減圧によって吸脱着塔４から取り出すが、このときの脱着オゾン濃度を配管９に設置した連続的、または間欠的にオゾン濃度計１０で計測する。この計測値は信号線Ｓ１を介して制御回路１２に送られる。制御回路１２では、脱着オゾン濃度の計測値と、設定器１１で設定され信号線Ｓ３を介してえられるオゾン濃度の設定値とを比較して、設定した脱着オゾン濃度をえるためのオゾン発生器１の投入電力をたとえばつぎの式で演算する。
【００１６】
Ｅ＝Ｋ（Ｏ3ｏ−Ｏ3ｓ）
ここで、Ｅはオゾン発生器１の投入電力の演算値（制御目標値）、Ｏ3ｏは脱着オゾン濃度の計測値、Ｏ3ｓは脱着オゾン濃度の制御設定値、Ｋは制御ゲインである。
【００１７】
オゾン発生器１の投入電力の演算値Ｅは信号線Ｓ２を介してオゾン発生器１に送られ、オゾン発生器１では投入電力を演算値になるよう投入電力を調節する。
【００１８】
このように、オゾンを吸脱着塔４に吸着貯留する吸着工程とこれを脱着する脱着工程を交互に行なうため、脱着工程ではオゾンを製造するオゾン発生器は停止しているが、本参考例では、脱着工程で脱着オゾン濃度を計測し、つぎの吸着工程におけるオゾン発生器１の投入オゾン電力を演算しておき、この演算値を使ってつぎの吸着工程でオゾン発生器１を運転するようにしている。
【００１９】
また、本装置を配管のスライム防止に用いるばあい、処理上重要なのは脱着オゾンのピーク濃度と処理時間であるので、脱着時のオゾン濃度のピーク値を計測し、これを所定値に保つようにしたり、また、脱着オゾン濃度がある基準値以上となる時間を計測しこれが所定時間になるようにしたり、さらには、脱着開始時に高濃度のオゾンがえられるので脱着開始から一定時間経過後の脱着オゾン濃度を一定にするようにすればさらに効果がある。もちろん、脱着オゾン濃度の変動を連続的に計測して、変動パターン全体が所定パターンになるようにしても良い。
【００２０】
なお、本参考例では、吸着工程の時間は変えずにオゾン発生器を連続運転しながら時間当たりの投入電力を調節する例を説明したが、時間当たりの投入電力は変えずに吸着工程の時間を変えるようにして投入電力を調節しても良い。
【００２１】
このように、本参考例では、脱着オゾン濃度を計測し、この計測値に基づいて、該計測値が所定値になるようにオゾン発生器１の投入電力を調節するので、吸着剤やオゾン発生器の特性が万が一変化したばあいでも、所定のオゾンを脱着して安定した処理を行なえるので、スライムの付着を長期間にわたり安定して防止することができる。
【００２２】
参考例２．
図２は参考例２にかかわるオゾン製造装置を示す構成図である。図２において、オゾン濃度計１０は配管９ではなく、水流エジェクタ７の下流側の予め定められた地点に取り付けられている。その他は図１と同じ構成である。
【００２３】
つぎに動作について説明する。前記参考例は気相の脱着オゾン濃度を計測するものであったが、本参考例は液側の脱着オゾン濃度を計測するようにしたものである。すなわち、脱着工程時に水流エジェクタ７の下流側の予め定めた地点でオゾン濃度を計測し、これを信号線Ｓ１を介して制御回路１２に送る。その他の動作は前記参考例１のばあいと同様である。
【００２４】
すなわち、脱着時のオゾン濃度を計測し、これからえられる脱着時のオゾン濃度のピーク値や所定濃度以上となる時間、または脱着開始から一定時間経過後の計測値、もしくは該計測値の変動パターン全体などを用いて、これらが所定値になるように制御回路１２でオゾン発生器１の投入電力を演算し、つぎの吸着工程でこの演算値を用いてオゾン発生器１を運転する。
【００２５】
このように、本参考例では、水流エジェクタ７の下流側の予め定めた地点で脱着オゾン濃度を計測し、これが所定値になるようにこの計測値に基づいてオゾン発生器１の投入電力を調節するので、吸着剤やオゾン発生器の特性が万が一変化したばあい、または用水の温度や汚染度合い、微生物の増殖速度、オゾンの反応速度が変わったばあいでも、これらの変化に追従して所定のオゾンを脱着して安定した処理を行なえるので、スライムの付着を長期間にわたり安定して防止することができる。
【００２６】
参考例３．
図３は参考例３にかかわるオゾン製造装置を示す構成図である。図３において、１３は圧力調節弁であり、酸素供給源２と循環系の配管１４を接続する配管１５に備え付けられている。また、信号線Ｓ２は制御回路１２と圧力調節弁１３を接続している。その他は図１、図２と同様である。
【００２７】
つぎに動作について説明する。動作は前記参考例１〜２とほぼ同様である。すなわち、配管９に備え付けられたオゾン濃度計１０を用いて、脱着オゾン濃度を計測する。この計測値は信号線Ｓ１を介して制御回路１２に供給され、制御回路１２では、この脱着オゾン濃度の計測値と別途設定器１１で設定され信号線Ｓ３を介してえられる脱着オゾン濃度の設定値とを用いて、たとえばつぎの演算式を用いて、オゾン発生器１の圧力の制御目標値を演算する。
【００２８】
Ｂ＝Ｋ（Ｏ3ｏ−Ｏ3ｓ）
ここで、Ｂはオゾン発生器１の圧力の制御目標値である。
【００２９】
この演算値は信号線Ｓ２を経由して圧力調節弁１３に送られ、ついで圧力調節弁１３ではオゾン発生器１の圧力、すなわち配管１４内の圧力がこの値になるように酸素の供給を調節する。オゾン発生器１の圧力を変えるとオゾン発生特性が変化するので、吸脱着塔４内の吸着剤に吸着貯蔵するオゾン量を調節することができる。
【００３０】
このように、本参考例では、脱着オゾン濃度を計測し、この計測値に基づいて、これが所定値になるようにオゾン発生器１の圧力を調節するので、吸着剤やオゾン発生器の特性が万が一変化したばあいでも、所定のオゾンを脱着して安定した処理を行なえるので、スライムの付着を長期間にわたり安定して防止することができる。
【００３１】
実施の形態４．
図４は本発明の実施の形態４にかかわるオゾン製造装置を示す構成図である。図４において、オゾン濃度計１０は水流エジェクタ７の下流側の予め定められた地点に設置されている。その他は図３と同様である。
【００３２】
つぎに動作について説明する。前記参考例３では、気相の脱着オゾン濃度を計測するものであったが、本実施の形態は液側の脱着オゾン濃度を計測するようにしたものである。すなわち、脱着工程時に水流エジェクタ７の下流側の予め定めた地点でオゾン濃度を計測し、これを信号線Ｓ１を介して制御回路１２に送る。その他の動作は前記参考例３と同様である。
【００３３】
すなわち、脱着時のオゾン濃度を計測し、これからえられる脱着時のオゾン濃度のピーク値や所定濃度以上となる時間、または脱着開始から一定時間経過後の計測値、計測値の変動パターン全体などを用いて、これらが所定値になるよう制御回路１２でオゾン発生器１の圧力の制御目標値を演算し、つぎの吸着工程でこの演算値を用いて酸素供給の圧力調節弁１３を操作してオゾン発生器１の圧力を調節する。
【００３４】
このように、本実施の形態では、水流エジェクタ７の下流側の予め定めた地点で脱着オゾン濃度を計測し、これが所定値になるようこの計測値に基づいてオゾン発生器１の圧力を酸素供給の圧力調節弁１３を操作して調節するので、吸着剤やオゾン発生器の特性が万が一変化したばあい、または用水の温度や汚染度合い、微生物の増殖速度、オゾンの反応速度が変わったばあいでも、これらの変化に追従して所定のオゾンを脱着して安定した処理を行なえるので、スライムの付着を長期間にわたり安定して防止することができる。
【００３５】
参考例５．
図５は参考例５におけるオゾン製造装置を示す構成図である。図５において、信号線Ｓ２は制御回路１２と冷熱源５とを接続している。その他は図３と同様である。
【００３６】
つぎに動作について説明する。動作は前記参考例３とほぼ同様である。すなわち、配管９に備え付けられたオゾン濃度計１０を用いて、脱着オゾン濃度を計測する。この計測値は信号線Ｓ１を介して制御回路１２に供給され、制御回路１２では、この脱着オゾン濃度の計測値と別途設定器１１で設定され信号線Ｓ３を介してえられる脱着オゾン濃度の設定値とを用いて、たとえばつぎの演算式を用いて、冷熱源５の冷却温度の制御目標値を演算する。
【００３７】
Ｔｃ＝Ｋ（Ｏ3ｏ−Ｏ3ｓ）
ここで、Ｔｃは冷熱源５の冷却温度の制御目標値である。
【００３８】
この演算値は信号線Ｓ２を経由して冷熱源５に送られ、冷熱源５では冷却媒体の温度、すなわち吸脱着塔４内の吸着剤の冷却温度がこの値になるように温度を調節する。吸着剤の冷却温度を変えるとシリガゲルへのオゾン吸着特性が変化するので、吸脱着塔４内の吸着剤に吸着貯留するオゾン量を調節することができる。
【００３９】
このように、本参考例では、脱着オゾン濃度を計測し、この計測値に基づいて、これが所定値になるよう冷熱源５の冷却媒体の温度、すなわち吸脱着塔４内の吸着剤の冷却温度を調節するので、吸着剤やオゾン発生器１の特性が万が一変化したばあいでも、所定のオゾンを脱着して安定した処理を行なえるので、スライムの付着を長期間にわたり安定して防止することができる。
【００４０】
参考例６．
図６は参考例６にかかわるオゾン製造装置を示す構成図である。図６において、信号線Ｓ２は制御回路１２と加熱源６とを接続している。その他は図５と同様である。
【００４１】
つぎに動作について説明する。動作は前記参考例５とほぼ同様である。すなわち、配管９に備え付けられたオゾン濃度計１０を用いて、脱着オゾン濃度を計測する。この計測値は信号線Ｓ１を介して制御回路１２に供給され、制御回路１２では、この脱着オゾン濃度の計測値と別途設定器１１で設定され信号線Ｓ３を介してえられる脱着オゾン濃度の設定値とを用いて、前記参考例５と同様にして加熱源６の加温温度の制御目標値を演算する。
【００４２】
この演算値は信号線Ｓ２を経由して加熱源６に送られ、媒体の加温温度、すなわち脱着時の吸脱着塔４内の吸着剤温度がこの値になるように加温温度を調節する。吸着剤の加温温度を変えると吸着剤へのオゾン吸着特性が変化するので、吸脱着塔４内の吸着剤から脱着するオゾン量を調節することができる。
【００４３】
このように、本参考例では、脱着オゾン濃度を計測し、この計測値に基づいて、これが所定値になるよう加熱源６の媒体の温度、すなわち脱着時の吸脱着塔４内の吸着剤の加熱温度を調節するので、吸着剤やオゾン発生器の特性が万が一変化したばあいでも、所定のオゾンを脱着して安定した処理を行なうことができ、スライムの付着を長期間にわたり安定して防止することができる。
【００４４】
参考例７．
図７は参考例７にかかわるオゾン製造装置を示す構成図である。図７において、オゾン濃度計１０は水流エジェクタ７の下流側の予め定められた地点に設置されている。その他は図５と同様である。
【００４５】
つぎに動作について説明する。前記参考例５では気相の脱着オゾン濃度を計測するものであったが、本参考例は液側の脱着オゾン濃度を計測するようにしたものである。すなわち、脱着工程時に水流エジェクタ７の下流側の予め定めた地点でオゾン濃度を計測し、これを信号線Ｓ１を介して制御回路１２に送る。その他の動作は前記参考例５と同様である。
【００４６】
すなわち、脱着時のオゾン濃度を計測し、これからえられる脱着時のオゾン濃度のピーク値や所定濃度以上となる時間、または脱着開始から一定時間経過後の計測値、計測値の変動パターン全体などを用いて、これらが所定値になるよう制御回路１２で冷熱源５の冷却温度の制御目標値を演算し、つぎの吸着工程でこの演算値を用いて冷熱源５の冷却温度を制御して吸脱着塔４内の吸着剤の冷却温度を調節する。
【００４７】
このように、本参考例では、水流エジェクタ７の下流側の予め定めた地点で脱着オゾン濃度を計測し、これが所定値になるようこの計測値に基づいて冷熱源５の冷却温度を調節するので、吸着剤やオゾン発生器の特性が万が一変化したばあい、または用水の温度や汚染度合い、微生物の増殖速度、オゾンの反応速度が変わったばあいでも、これらの変化に追従して所定のオゾンを脱着して安定した処理を行なうことができ、スライムの付着を長期間にわたり安定して防止することができる。
【００４８】
参考例８．
図８は参考例８にかかわるオゾン製造装置を示す構成図である。図８において、信号線Ｓ２は制御回路１２と加熱源６とを接続している。その他は図７と同様である。
【００４９】
つぎに動作について説明する。動作は前記参考例７とほぼ同様である。すなわち、水流エジェクタ７の下流側の予め定められた地点に設置したオゾン濃度計１０を用いて、脱着オゾン濃度を計測する。この計測値は信号線Ｓ１を介して制御回路１２に供給され、制御回路１２では、この脱着オゾン濃度の計測値と別途設定器１１で設定され信号線Ｓ３を介してえられる脱着オゾン濃度の設定値とを用いて、前記参考例５と同様にして加熱源６の加温温度の制御目標値を演算する。
【００５０】
この演算値は信号線Ｓ２を経由して加熱源６に送られ、媒体の加温温度、すなわち脱着時の吸脱着塔４内の吸着剤温度がこの値になるよう加温温度を調節する。吸着剤の加温温度を変えるとシリガゲルへのオゾン吸着特性が変化するので、吸脱着塔４内の吸着剤にから脱着するオゾン量を調節することができる。
【００５１】
このように、本参考例では、水流エジェクタ７の下流側の予め定めた地点で脱着オゾン濃度を計測し、これが所定値になるようこの計測値に基づいて加熱源６の媒体の温度、すなわち脱着時の吸脱着塔４内の吸着剤の加熱温度を調節するので、吸着剤やオゾン発生器１の特性が万が一変化したばあい、または用水の温度や汚染度合い、微生物の増殖速度、オゾンの反応速度が変わったばあいでも、これらの変化に追従して所定のオゾンを脱着して安定した処理を行なうことができ、スライムの付着を長期間にわたり安定して防止することができる。
【００５２】
参考例９．
図９は参考例９におけるオゾン製造装置を示す構成図である。図９において、圧力検知手段を備えており、１６は吸脱着塔４に取り付けられ脱着工程時の脱着ガス圧力を計測する圧力計測手段である圧力計であり、これの計測信号は出力として信号線Ｓ１により制御回路１２に接続されている。その他は図１、２と同様である。
【００５３】
つぎに動作について説明する。動作は前記参考例１〜２とほぼ同様である。すなわち、吸脱着塔４に取り付けられ圧力計１６を用いて、脱着時の吸脱着塔４内の圧力、すなわち、脱着したオゾンを含むガスの圧力を計測する。この計測値は信号線Ｓ１を介して制御回路１２に供給され、制御回路１２では、この脱着オゾンガス圧力の計測値と別途設定器１１で設定され信号線Ｓ３を介して得られる脱着オゾンガス圧力の設定値とを用いて、たとえばつぎの演算式によりを行いオゾン発生器１の投入電力を演算する。
【００５４】
Ｅ＝Ｋ(ＰＯ3ｏ−ＰＯ3ｓ）
ここで、Ｅはオゾン発生器１の投入電力の演算値（制御目標値）、ＰＯ3ｏは脱着オゾンガス圧力の計測値、ＰＯ3ｓは脱着オゾンガス圧力の制御設定値、Ｋは制御ゲインである。
【００５５】
オゾン発生器１の投入電力の演算値Ｅは信号線Ｓ２を介してオゾン発生器１に送られ、オゾン発生器１では投入電力を演算値になるよう投入電力を調整する。
【００５６】
この種の装置ではオゾンを吸脱着塔４に吸着保存する吸着工程とこれを脱着する脱着工程を交互に行うため、脱着工程ではオゾンを製造するオゾン発生器は停止している。本参考例では、脱着工程で脱着オゾンガス圧力を計測し、つぎの吸着工程におけるオゾン発生器の投入オゾン電力を演算しておき、この演算値を使ってつぎの吸着工程でオゾン発生器を運転する。
【００５７】
脱着するオゾン量や濃度と脱着時のガス圧力には相関があり、また、オゾン濃度計が高価な計測装置であるのに対し圧力計は安価であるので、オゾン濃度計の場合と同様の制御効果を得ながら装置を安価に製作することができる。
【００５８】
また、本参考例の装置を配管のスライム防止に用いるばあい、処理上重要なのは脱着オゾンのピーク濃度と処理時間である。このため、脱着時のオゾン濃度のピーク値、すなわち、これと相関のある脱着ガス圧力を計測してこれを所定値に保つようにしたり、また、脱着ガス圧力がある基準値以上となる時間を計測し、これが所定時間になるようにしたり、さらには、脱着開始時に高濃度のオゾンが得られるので脱着開始から一定時間経過後、またはその時間内の脱着オゾンガス圧力を一定にするようにすればさらに効果がある。もちろん、脱着オゾン圧力の変動を連続的に計測して、変動パターン全体が所定パターンになるようにしても良い。
【００５９】
なお、本参考例では、吸着工程の時間は変えずにオゾン発生器を連続運転しながら時間当たりの投入電力を調節する例を説明したが、時間当たりの投入電力は変えずに吸着工程の時間を変えるようにして投入電力を調節しても良い。
【００６０】
このように、本参考例では、脱着オゾン濃度と相関のある脱着ガス圧力に注目し、オゾン濃度計よりも安価な圧力計を用いて脱着ガスの圧力を計測し、この計測値に基づいて、これが所定値になるようオゾン発生器１の投入電力を調節する。このため、吸着剤やオゾン発生器１の特性が万が一変化したばあいでも、安価な計測装置を用いて所定のオゾンを脱着して安定した処理が行なえるので、スライムの付着を長期間にわたり安定して防止することができる。
【００６１】
参考例１０．
図１０は参考例１０にかかわるオゾン製造装置を示す構成図である。図１０において、制御回路１２の出力信号は信号線Ｓ２を介して酸素供給源２と配管１４を接続する配管１５に備え付けられている圧力調節弁１３を接続している。その他は図９と同様である。
【００６２】
つぎに動作について説明する。動作は前記参考例９とほぼ同様である。すなわち、吸脱着塔４に取り付けられ圧力計１６を用いて、脱着時の吸脱着塔４内の圧力、すなわち脱着したオゾンを含むガスの圧力を計測する。
【００６３】
この計測値は信号線Ｓ１を介して制御回路１２に供給され、制御回路１２では、この脱着オゾンガス圧力の計測値と別途設定器１１で設定され信号線Ｓ３を介してえられる脱着オゾンガス圧力の設定値とを用いて、たとえばつぎの演算式により、オゾン発生器１の圧力の制御目標値を演算する。
【００６４】
Ｂ＝Ｋ（ＰＯ3ｏ−ＰＯ3ｓ）
ここで、Ｂはオゾン発生器１の圧力の制御目標値である。
【００６５】
この演算値は信号線Ｓ２を経由して圧力調整弁１３に送られ、そして圧力調節弁１３ではオゾン発生器１の圧力、すなわち配管１４内の圧力がこの値になるよう酸素の供給を調節する。オゾン発生器１の圧力を変えるとオゾン発生特性が変化するので、吸脱着塔４内の吸着剤に吸着貯留するオゾン量、すなわち脱着オゾン量を調節することができる。
【００６６】
このように、本参考例では脱着オゾン濃度や量と相関がある吸脱着塔４内の圧力、すなわち、脱着したオゾンを含むガスの圧力を計測し、この計測値に基づいて、これが所定値になるようにオゾン発生器１の圧力を調節するので、吸着剤やオゾン発生器の特性が万が一変化したばあいでも、所定のオゾンを脱着して安定した処理を行なえるので、スライムの付着を長期間にわたり安定して防止することができる。さらに、オゾン濃度計に比べ圧力計は安価であるので、オゾン濃度計を使うばあいと同様の効果を安価な装置で実現することができる。
【００６７】
参考例１１．
図１１は参考例１１にかかわるオゾン製造装置を示す構成図である。図１１において、信号線Ｓ２は制御回路１２と冷熱源５とを接続している。その他は図１０と同様である。
【００６８】
つぎに動作について説明する。動作は前記参考例１０とほぼ同様である。すなわち、吸脱着塔４に取り付けられ圧力計１６を用いて、脱着時の吸脱着塔４内の圧力、すなわち、脱着したオゾンを含むガスの圧力を計測する。
【００６９】
この計測値は信号線Ｓ１を介して制御回路１２に供給され、制御回路１２では、この脱着オゾンガス圧力の計測値と別途設定器１１で設定され信号線Ｓ３を介してえられる脱着オゾンガス圧力の設定値とを用いて、たとえばつぎの演算式により、冷熱源５の冷却温度の制御目標値を演算する。
【００７０】
Ｔｃ＝Ｋ（ＰＯ3ｏ−ＰＯ3ｓ）
ここで、Ｔｃは冷却源５の冷却温度の制御目標値である。
【００７１】
この演算値は信号線Ｓ２を経由して冷熱源５に送られ、冷熱源５では冷却媒体の温度、すなわち吸脱着塔４内の吸着剤の冷却温度がこの値になるよう温度を調節する。吸着剤の冷却温度を変えるとシリガゲルへのオゾン吸着特性が変化するので、吸脱着塔４内の吸着剤に吸着保存するオゾン量を調節することができる。
【００７２】
このように、本参考例では脱着オゾン濃度や量と相関がある吸脱着塔４内の圧力、すなわち脱着したオゾンを含むガスの圧力を計測し、この計測値に基づいて、これが所定値になるように冷熱源５の冷却媒体の温度、すなわち吸脱着塔４内の吸着剤の冷却温度を調節するので、吸着剤やオゾン発生器の特性が万が一変化したばあいでも、所定のオゾンを脱着して安定した処理を行なえるので、スライムの付着を長期間にわたり安定して防止することができる。さらに、オゾン濃度計に比べ圧力計は安価であるので、オゾン濃度計を使うばあいと同様の効果を安価な装置で実現することができる。
【００７３】
参考例１２．
図１２は参考例１２にかかわるオゾン製造装置を示す構成図である。図１２において、信号線Ｓ２は制御回路１２と加熱源６とを接続している。その他は図１１と同様である。
【００７４】
つぎに動作について説明する。動作は前記参考例１１とほぼ同様である。すなわち、吸脱着塔４に取り付けられ圧力計１６を用いて、脱着時の吸脱着塔４内の圧力、すなわち、脱着したオゾンを含むガスの圧力を計測する。
【００７５】
この計測値は信号線Ｓ１を介して制御回路１２に供給され、制御回路１２では、この脱着オゾン濃度の計測値と別途設定器１１で設定され信号線Ｓ３を介して得られる脱着オゾン濃度の設定値とを用いて、前記参考例１１と同様にして加熱源６の加温温度の制御目標値を演算する。
【００７６】
この演算値は信号線Ｓ２を経由して加熱源６に送られ、媒体の加温温度、すなわち脱着時の吸脱着塔４内の吸着剤温度がこの値になるよう加温温度を調節する。吸着剤の加温温度を変えるとシリガゲルへのオゾン吸着特性が変化するので、吸脱着塔４内の吸着剤にから脱着するオゾン量を調節することができる。
【００７７】
このように、本参考例では、脱着オゾン濃度や量と相関がある吸脱着塔４内の圧力、すなわち、脱着したオゾンを含むガスの圧力を計測し、この計測値に基づいて、これが所定値になるよう加熱源６の媒体の温度、すなわち脱着時の吸脱着塔４内の吸着剤の加熱温度を調節するので、吸着剤やオゾン発生器の特性が万が一変化したばあいでも、所定のオゾンを脱着して安定した処理を行なうことができ、スライムの付着を長期間にわたり安定して防止することができる。さらに、オゾン濃度計に比べ圧力計は安価であるので、オゾン濃度計を使うばあいと同様の効果を安価な装置で実現することができる。
【図面の簡単な説明】
【００７８】
【図１】参考例１にかかわるオゾン製造装置を示す構成図である。
【図２】参考例２にかかわるオゾン製造装置を示す構成図である。
【図３】参考例３にかかわるオゾン製造装置を示す構成図である。
【図４】本発明の実施の形態４にかかわるオゾン製造装置を示す構成図である。
【図５】参考例５にかかわるオゾン製造装置を示す構成図である。
【図６】参考例６にかかわるオゾン製造装置を示す構成図である。
【図７】参考例７にかかわるオゾン製造装置を示す構成図である。
【図８】参考例８にかかわるオゾン製造装置を示す構成図である。
【図９】参考例９にかかわるオゾン製造装置を示す構成図である。
【図１０】参考例１０にかかわるオゾン製造装置を示す構成図である。
【図１１】参考例１１にかかわるオゾン製造装置を示す構成図である。
【図１２】参考例１２にかかわるオゾン製造装置を示す構成図である。
【図１３】従来のオゾン製造装置を示す構成図である。
【符号の説明】
【００７９】
１  オゾン発生器、２  酸素供給源、３  循環ブロア、４  吸脱着塔、５  冷熱源、６  加熱源、７  オゾン脱着手段（水流エジェクタ）、８ａ〜８ｆ  切替弁、９  配管、１０  オゾン濃度計、１１  設定器、１２  制御回路、１３  圧力調節弁、１４，１５  配管、１６  圧力計、Ｓ１〜Ｓ３  信号線。
【図１】
2006206437.tif 000003
【図２】
2006206437.tif 000004
【図３】
2006206437.tif 000005
【図４】
2006206437.tif 000006
【図５】
2006206437.tif 000007
【図６】
2006206437.tif 000008
【図７】
2006206437.tif 000009
【図８】
2006206437.tif 000010
【図９】
2006206437.tif 000011
【図１０】
2006206437.tif 000012
【図１１】
2006206437.tif 000013
【図１２】
2006206437.tif 000014
【図１３】
2006206437.tif 000015